【手続補正書】
【提出日】平成17年11月24日(2005.11.24)
【手続補正１】
【補正対象書類名】明細書
【補正対象項目名】全文
【補正方法】変更
【補正の内容】
【書類名】      明細書
【発明の名称】  釣り用リール部品
【特許請求の範囲】
【請求項１】
先端に形成された先細りのテーパ面と前記テーパ面より奥側に形成された環状溝とを有する釣り用リールの軸部材に対してワンタッチで着脱可能な釣り用リール部品であって、
前記軸部材が貫通する貫通部と、前記軸部材が貫通する端面に前記貫通部と同芯に形成された円形の装着空間とを有する部品本体と、
前記環状溝に係止されるように対向して配置された１対の係止部と、前記両係止部の一端を前記係止部の他端を回り込んで連結するＣ字状の連結部とを有し、前記装着空間に装着された弾性線材製の係止ばねと、
前記係止ばねの回転位相を位置決めして前記装着空間に配置可能な第１位置決め手段と、
前記係止ばねを抜け止めするために前記装着空間を覆うように前記部品本体に固定された蓋部材と、
前記軸部材の前記環状溝を通過可能に前記蓋部材に軸方向移動自在に装着され、前記蓋部材の中心から外方に露出する押圧操作部と、前記押圧操作部から突出して設けられ前記係止部の間に先端が挿入されかつ軸方向の移動により前記１対の係止部の間隔を拡げるように前記軸部材を挟んで配置される１対のテーパ部とを有し、前記押圧操作部の押圧操作により前記軸部材の環状溝と前記係止ばねとの係合を解除するための操作部材と、
前記操作部材の前記１対のテーパ部の先端が前記係止ばねの係止部の間に配置されるように前記操作部材の回転位相を制限する第２位置決め手段と、
を備えた釣り用リール部品。
【請求項２】
前記操作部材の１対のテーパ部は、前記軸部材より大径の内径を有する筒状部の先端から末広がりに山形に斜めに切断した形状である、請求項１に記載の釣り用リール部品。
【請求項３】
前記第１位置決め手段は、前記装着空間の底部に設けられ、前記係止ばねの両係止部の間に配置される位置決め突起を有する、請求項２に記載の釣り用リール部品。
【請求項４】
前記装着空間の底部と前記係止ばねとの間に装着され、前記位置決め突起が通過可能な切欠き部を有する座金部材をさらに備える、請求項３に記載の釣り用リール部品。
【請求項５】
前記第２位置決め手段は、前記軸部材と直交する断面が、前記テーパ部の筒状部の外径より僅かに大きな内径を有し前記テーパ部と対向して配置される１対の円弧部と、前記第１位置決め手段により位置決めされた係止ばねの係止部に沿って前記円弧部の両端をそれぞれ結び前記筒状部の外径より小さい間隔で配置される１対の連結部とを有する概ね長円形状に前記装着空間の底部に形成された非円形の係合穴部を有している、請求項２から４のいずれかに記載の釣り用リール部品。
【請求項６】
前記第１位置決め手段は、前記装着空間の底部と前記係止ばねとの間に装着され、前記係止ばねの両係止部の間に配置される位置決め突起が形成された座金部材を有する、請求項２に記載の釣り用リール部品。
【請求項７】
前記第２位置決め手段は、前記軸部材と直交する断面が、前記テーパ部の筒状部の外径より僅かに大きな内径を有し前記テーパ部と対向して配置される１対の円弧部と、前記第１位置決め手段により位置決めされた係止ばねの係止部に沿って前記円弧部の両端をそれぞれ結び前記筒状部の外径より小さい間隔に配置される１対の連結部とを有する概ね長円形状に前記座金部材の中心部に形成された非円形の係合孔部を有している、請求項４又は６に記載の釣り用リール部品。
【請求項８】
前記軸部材は、前記釣り用リールとしてのスピニングリールのリール本体に前後移動自在に装着されたスプール軸であり、
前記部品本体は、前記スプール軸に回転不能かつ着脱自在に装着され外周に釣り糸が巻き付けられるスピニングリールのスプール本体である、請求項１から７のいずれかに記載の釣り用リール部品。
【請求項９】
前記軸部材は、前記釣り用リールとしての両軸受リールのハンドルアームの先端に固定された把手軸であり、
前記部品本体は、前記ハンドル軸に回転自在かつ着脱自在に装着された把手本体である、請求項１から７のいずれかに記載の釣り用リール部品。
【発明の詳細な説明】
【０００１】
【発明の属する技術分野】
本発明は、釣り用リール部品、とくに、先端に形成された先細りのテーパ面とテーパ面より奥側に形成された環状溝とを有する釣り用リールの軸部材に対してワンタッチで着脱可能な釣り用リール部品に関する。
【０００２】
【従来の技術】
釣り用リール部品、たとえばスピニングリールのスプール（釣り用リール部品の一例）には、スプール軸（軸部材の一例）に対してワンタッチで着脱可能なものが知られている（たとえば、特許文献１参照）。従来のワンタッチ着脱可能なスプールは、先端に形成された先細りのテーパ面とテーパ面より奥側に形成された環状溝とを有するスプール軸に着脱可能に装着されている。
【０００３】
スプールは、スプール軸が貫通する貫通部及びスプロケットー軸が貫通する端面に形成された装着空間を有するスプール本体と、装着空間に配置されスプール軸の環状溝に係合可能な係止ばねと、係止ばねを抜け止めするためにスプール本体の前部に装着された蓋部材と、係止ばねを環状溝から離脱する離脱状態にするための押圧操作用の操作部材とを備えている。
【０００４】
装着空間は、貫通部と同芯に配置された円形の空間である。係止バネは、弾性線材を折り曲げて形成されたものであり、環状溝に係止されるように対向して配置された１対の係止部と、両係止部の一端を係止部の他端を回り込んで連結するＣ字状の連結部とを有している。係止ばねは、環状溝に係止されるとともに、操作部材を押圧方向と逆方向に付勢する。
【０００５】
操作部材は、スプール軸の外周側に装着され環状溝を通過可能に装着空間に前後移動自在に装着されている。操作部材は、係止部の間に装着されかつ軸方向の移動により１対の係止部の間隔を拡げるように一端に形成された１対のテーパ部と、蓋部材の中心から外方に露出する押圧操作部とを有し、押圧操作部の押圧操作により軸部材の環状溝と係止ばねとの係合を解除するためのものである。１対のテーパ部は、スプール軸より大径の内径を有する筒状部の先端から末広がりに山形に斜めに切断したような形状であり、装着時にはスプール軸を挟んで対向して配置される。テーパ部の先端は、係止ばねにより付勢された状態で１対の係止部の間に挿入されている。蓋部材は、スプール本体に対してたとえばねじ込み固定されており、操作部材も抜け止めしている。
【０００６】
この操作部材をスプール軸に向かって押圧することによりテーパ部により係止ばねの係止部の間隔を拡げてスプール軸との係合を解除し、スプールを着脱可能な状態にする。この状態でスプールをスプール軸から外すことができる。また、１対の係止部がテーパ部によって拡げられると、係止部は互いに近づく方向にテーパ部に力を作用させるので、押圧操作部は押圧方向と逆方向に付勢される。このため、押圧操作を止めると、操作部材は逆方向に移動し、１対の係止部は係止可能状態に戻る。
【０００７】
スプールをスプール軸に装着する際には、スプール軸のテーパ面により係止ばねの係止部が拡げられ、係止ばねが環状溝に位置すると係止部が環状溝内にはまり込んでスプールをスプール軸に対して抜け止めする。
【０００８】
このようなスプールを組み立てる際には、装着空間に係止ばねを配置し、操作部材のテーパ部の先端を係止ばねの１対の係止部内に挿入した状態で蓋部材をスプール本体にねじ込む。
【０００９】
【特許文献１】
実開平０６−０６８４４７号参照
【００１０】
【発明が解決しようとする課題】
前記従来のワンタッチで着脱可能なスプールでは、操作部材や係止ばねは装着空間内にどのような回転姿勢でも装着できる。このため、組立の際に、誤って１対のテーパ部が１対の係止部の外側に入れてしまうおそれがある。テーパ部が係止ばねの１対の係止部の外側に入ると、操作部材を押圧操作しても、係止ばねの係止部の間隔を拡げることができない。このように、従来の構成では操作部材と係止ばねとを組み間違えないように気にしながら操作部材を装着しなければならない。
【００１１】
本発明の課題は、軸部材に対してワンタッチで着脱可能な釣り用リール部品において、操作部材及び係止ばねの組み間違いを防止できるようにすることにある。
【００１２】
【課題を解決するための手段】
発明１に係る釣り用リール部品は、先端に形成された先細りのテーパ面とテーパ面より奥側に形成された環状溝とを有する釣り用リールの軸部材に対してワンタッチで着脱可能な部品であって、部品本体と、係止ばねと、第１位置決め手段と、蓋部材と、操作部材と、第２位置決め手段とを備えている。部品本体は、軸部材が貫通する貫通部と、軸部材が貫通する端面に貫通部と同芯に形成された円形の装着空間とを有するものである。係止ばねは、環状溝に係止されるように対向して配置された１対の係止部と、両係止部の一端を前記係止部の他端を回り込んで連結するＣ字状の連結部とを有し、装着空間に装着された弾性線材製のばねである。第１位置決め手段は、係止ばねの回転位相を位置決めして装着空間に配置可能なものである。蓋部材は、係止ばねを抜け止めするために装着空間を覆うように部品本体に固定されたものである。操作部材は、軸部材の環状溝を通過可能に蓋部材に軸方向移動自在に装着され、蓋部材の中心から外方に露出する押圧操作部と、押圧操作部から突出して設けられ係止部の間に先端が挿入されかつ軸方向の移動により１対の係止部の間隔を拡げるように軸部材を挟んで配置される１対のテーパ部とを有し、押圧操作部の押圧操作により軸部材の環状溝と係止ばねとの係合を解除するためのものである。第２位置決め手段は、操作部材の１対のテーパ部の先端が係止ばねの係止部の間に配置されるように操作部材の回転位相を制限するものである。
【００１３】
この釣り用リール部品では、組立の際には、第１位置決め手段により係止ばねが装着空間に回転位相を位置決めされた状態で配置される。そして、操作部材をテーパ部側から装着空間に配置する。このときテーパ部が係止部の間に配置されるように第２位置決め手段により操作部材の回転位相が制限される。ここでは、係止ばねが第１位置決め手段により回転位相が位置決めされ、その位置決めされた係止ばねに対して、操作部材を装着する際にその回転位相がテーパ部が係止部間に配置されるように制限されるので、操作部材と係止ばねとが位置決めされた状態でしか装着空間に装着できない。このため、操作部材と係止ばねの組み間違いを防止できる。
【００１４】
発明２に係る釣り用リール部品は、発明１に記載の部品において、操作部材のテーパ部は、軸部材より大径の内径を有する筒状部の先端から末広がりに山形に斜めに切断した形状である。この場合には、操作部材を型成形により製造しても、軸部材を挟んで対向して配置される１対のテーパ部を設計しやすくなる。
【００１５】
発明３に係る釣り用リール部品は、発明２に記載の部品において、第１位置決め手段は、装着空間の底部に設けられ、係止ばねの両係止部の間に配置される位置決め突起を有する。この場合には、位置決め突起が１対の係止部の間に配置されるように係止ばねを装着空間の底部に配置するだけで、１対の係止部を利用して係止ばねの回転位相を容易に位置決めできる。
【００１６】
発明４に係る釣り用リール部品は、発明３に記載の部品において、装着空間の底部と係止ばねとの間に装着され、位置決め突起が通過可能な切欠き部を有する座金部材をさらに備える。この場合には、位置決め突起を設けても部品本体の軸方向位置を調整する座金部材を容易に配置できる。
【００１７】
発明５に係る釣り用リール部品は、発明２から４のいずれかに記載の部品において、第２位置決め手段は、軸部材と直交する断面が、テーパ部の筒状部の外径より僅かに大きな内径を有しテーパ部と対向して配置される１対の円弧部と、第１位置決め手段により位置決めされた係止ばねの係止部に沿って円弧部の両端をそれぞれ結び筒状部の外径より小さい間隔で配置された１対の連結部とを有する概ね長円形状に装着空間の底部に形成された非円形の係合穴部を有している。この場合には、連結部の間隔が筒状部の外径より小さいので、テーパ部を連結部に向けて装着することができず円弧部に向けたときだけ係合穴部に操作部材を装着できる。この係合穴部の連結部は係止部に沿って配置されているので、第１位置決め手段により位置決めされた係止ばねの係止部に対してテーパ部を確実に挿入でき、簡素な構成で両部品の組み間違いを確実に防止できる。
【００１８】
発明６に係る釣り用リール部品は、発明２に記載の部品において、第１位置決め手段は、装着空間の底部と係止ばねとの間に装着され、係止ばねの両係止部の間に配置される位置決め突起が形成された座金部材を有する。この場合には、部品本体とは別の座金部材で係止ばねの回転位置を位置決めできるので、部品本体に変更を加えることなく係止ばねを位置決めできる。
【００１９】
発明７に係る釣り用リール部品は、発明４又は６に記載の部品において、第２位置決め手段は、軸部材と直交する断面が、テーパ部の筒状部の外径より僅かに大きな内径を有しテーパ部と対向して配置される１対の円弧部と、第１位置決め手段により位置決めされた係止ばねの係止部に沿って円弧部の両端をそれぞれ結び筒状部の外径より小さい間隔で配置される１対の連結部とを有する概ね長円形状に座金部材の中心部に形成された非円形の係合孔部を有している。この場合には、連結部の間隔が筒状部の外径より小さいので、テーパ部を連結部に向けて装着することができず円弧部に向けたときだけ係合孔部に操作部材を装着できる。この係合孔部の連結部は係止部に沿って配置されているので、第１位置決め手段により位置決めされた係止ばねの係止部に対してテーパ部を確実に挿入でき、部品本体とは別に設けられた座金部材で両部品の組み間違いを確実に防止できる。
【００２０】
発明８に係る釣り用リール部品は、発明１から７のいずれかに記載の部品において、軸部材は、釣り用リールとしてのスピニングリールのリール本体に前後移動自在に装着されたスプール軸であり、部品本体は、スプール軸に回転不能かつ着脱自在に装着され外周に釣り糸が巻き付けられるスピニングリールのスプール本体である。この場合には、スピニングリールのスプールの部品の組み間違えを防止できる。
【００２１】
発明９に係る釣り用リール部品は、発明１から７のいずれかに記載の部品において、軸部材は、釣り用リールとしての両軸受リールのハンドルアームの先端に固定された把手軸であり、部品本体は、ハンドル軸に回転自在かつ着脱自在に装着された把手本体である。この場合には、両軸受リールのハンドル把手の部品の組み間違いを防止できる。
【００２２】
【発明の実施の形態】
本発明の一実施形態によるスピニングリールは、図１に示すように、釣竿の長手方向に沿う軸回りに釣り糸を巻き取るレバーブレーキ型のリールであって、ハンドル１を備えたリール本体２と、リール本体２の前部に回転自在に支持されたロータ３と、ロータ３の前部に配置された釣り糸を巻き取るスプール４とを備えている。
【００２３】
リール本体２は、図１に示すように、たとえば合成樹脂製であり、釣竿に装着される前後に長い取付部２ｃと、取付部２ｃと間隔を隔てて配置され内部に機構収納空間を有するリールボディ２ａと、取付部２ｃとリールボディ２ａとを連結する脚部２ｂとを有している。リールボディ２ａの左右のいずれかにもハンドル１が装着可能である。
【００２４】
リールボディ２ａの内部には、ロータ３を回転させるためのロータ駆動機構５と、ロータ３の糸繰り出し方向の回転を制動するためのレバーブレーキ機構６と、スプール軸８を介してスプール４を前後に往復移動させるオシレーティング機構２０とが設けられている。
【００２５】
ロータ３は、たとえば合成樹脂製又は金属製であり、リール本体２に回転自在に支持されている。ロータ３は、円筒部３ａと、円筒部３ａの側方に互いに対向して設けられた第１アーム部３ｂ及び第２アーム部３ｃとを有している。第１アーム部３ｂの先端と第２アーム部３ｃの先端部とには、揺動自在にベールアーム９が設けられている。このベールアーム９により釣り糸がスプール４に案内される。
【００２６】
スプール４は、図２に示すように、ロータ３の第１アーム部３ｂと第２アーム部３ｃとの間に配置されており、スプール軸８の先端にワンタッチで着脱自在かつ回転不能に装着されている。スプール軸８は、先端に形成された先細りのテーパ面８ａと、テーパ面８ａより奥側（図２右側）に形成された環状の係止溝８ｂとを有している。
【００２７】
スプール４は、スプール本体７と、ワンタッチ着脱機構１３とを有している。スプール本体７は、釣り糸が外周に巻き付けられる糸巻胴部４ａと、糸巻胴部４ａの後端部に一体成形された筒状のスカート部４ｂと、糸巻胴部４ａの前部に糸巻胴部４ａより大径に形成された前フランジ部４ｃとを有している。スプール本体７は、たとえばアルミニウム合金製、マグネシウム合金製、ステンレス合金製などの金属やポリアミド系合成樹脂などの合成樹脂製のものである。
【００２８】
スプール本体７の中心には、スプール軸８が貫通する貫通孔７ａが形成され、スプール軸８が貫通する前端面には、貫通孔７ａと同芯に筒状の突出部７ｅが形成されており、その内部にワンタッチ着脱機構１３を装着するための装着空間７ｂが形成されている。突出部７ｅの内周面には、後述する蓋部材３２を装着するための雌ねじ部７ｆが形成されている。貫通孔７ａの後端には、径方向に沿って回り止め溝７ｃが形成されている。回り止め溝７ｃには、スプール軸８に径方向に沿って形成されたピン孔８ｃに装着された回り止めピン１４が係止されている。この回り止め溝７ｃと回り止めピン１４との係合によりスプール４がスプール軸８に対して回転不能になっている。
【００２９】
ワンタッチ着脱機構１３は、図２〜図４に示すように、スプール軸８の係止溝８ｂに係止される弾性線材製の係止ばね３０と、係止ばね３０の回転位相を位置決めする第１位置決め手段としての位置決め突起３１と、蓋部材３２と、操作ボタン３３と、第２位置決め手段としての係合穴部３４と、３枚のワッシャ３５〜３７とを有している。
【００３０】
係止ばね３０は、スプール４をスプール軸８に軸方向移動不能に装着するためのばねである。また、係止ばね３０は、操作ボタン３３を前方へ付勢する機能も有している。係止ばね３０は、弾性線材製を折り曲げて形成されたものであり、変形したときに付勢力が生じるようになっている。係止ばね３０は、係止溝８ｂに係止されるように対向して配置された直線状の１対の係止部３０ａ，３０ｂと、両係止部３０ａ，３０ｂの一端から折れ曲がって両係止部３０ａ，３０ｂの他端を回り込んで連結するＣ字状の連結部３０ｃとを有し、装着空間７ｂに装着されている。
【００３１】
位置決め突起３１は、装着空間７ｂの底部７ｄに設けられ、係止ばね３０の両係止部３０ａ，３０ｂの間に配置されるように前方に突出して形成されている。位置決め突起３１の幅Ｗ（図４）は、係止部３０ａ，３０ｂの間隔よりやや小さい。具体的には、係止部３０ａ，３０ｂの間隔の９９〜８５％程度である。また、位置決め突起３１の高さは装着空間７ｂの深さと同じかやや小さい。具体的には、装着空間７ｂの深さの１００〜５０％程度である。この位置決め突起３１に両係止部３０ａ，３０ｂをはめ込んで係止ばね３０を装着空間７ｂに装着することにより係止ばね３０の回転位相が位置決めされる。
【００３２】
蓋部材３２は、合成樹脂製の略円盤状の部材であり、係止ばね３０を抜け止めするために装着空間を覆うようにスプール本体７の突出部７ｅにねじ込み固定されている。蓋部材は、蓋本体３２ａと、蓋本体３２ａに回動自在に装着された釣糸サイズ表示部３２ｂとを有している。蓋本体３２ａは、前方に凸に膨出するリング状の円板部３２ｃと、円板部３２ｃの中心孔から後方に突出する筒状の固定部３２ｄとを有している。固定部３２ｄの外周には突出部７ｅの雌ねじ部７ｆに螺合する雄ねじ部３２ｅが形成されている。また、固定部３２ｄの内周面には径方向内方に突出する係止リング３２ｆが形成されている。係止リング３２ｆは、操作ボタン３３を抜け止めするために設けられている。釣糸サイズ表示部３２ｂは、蓋本体３２ａに描かれた釣糸サイズに合わせるマークがたとえば刻印されている。このマークを釣糸サイズに合わせることによりスプール４に巻き付けられる釣糸サイズを記憶することができる。
【００３３】
操作ボタン３３は、スプール軸８の係止溝８ｂの通過可能な長さを有するものであり、押圧操作により係止溝８ｂと係止ばね３０との係合を解除するためのものである。操作ボタン３３は、蓋部材３２に軸方向移動自在に装着された押圧操作部３３ａと、押圧操作部３３ａから後方に突出して設けられた１対のテーパ部３３ｂとを有している。押圧操作部３３ａは、蓋部材３２の中心から外方に露出する有底筒状のボタン部３３ｃと、ボタン部３３ｃの外周端から径方向外方に突出するリング状突起３３ｄとを有している。ボタン部３３ｃの底部外表面は蓋部材３２から外方に僅かに突出している。リング状突起３３ｄは、蓋本体３２ａの係止リング３２ｆに係止され、これにより操作ボタン３３が抜け止めされる。
【００３４】
テーパ部３３ｂは、ボタン部３３ｃの底部後面から後方に突出して形成された筒状部３３ｅの先端（図２右端）に形成されている。筒状部３３ｅは、スプール軸８よりやや大きい内径をしており、１対のテーパ部３３ｂは、筒状部３３ｅ先端から末広がりに山形に斜めに切断した形状である。１対のテーパ部３３ｂは、１対の係止部３０ａ，３０ｂの間に先端が挿入されかつ軸方向の移動により１対の係止部３０ａ，３０ｂの間隔を拡げるようにスプール軸８を挟んで配置されている。なお、テーパ部３３ｂの先端には平坦部３３ｆが形成されている。この平坦部３３ｆは、テーパ部３３ｂを係止部３０ａ，３０ｂに確実に挿入するために形成されている。押圧操作していない状態では平坦部３３ｆよりやや前方側で係止ばね３０の係止部３０ａ，３０ｂとテーパ部３３ｂとが接触している。なお、テーパ部３３ｂが係止ばね３０の係止部３０ａ，３０ｂに挿入された状態で係止部３０ａ，３０ｂが拡がった状態では、係止ばね３０はテーパ部３３ｂを介して操作ボタン３３を前方に付勢している。このため、操作ボタン３３を押圧しない状態では、操作ボタン３３のリング状突起３３ｄは、蓋部材３２の係止リング３２ｆに接触して抜け止めされている。
【００３５】
係合穴部３４は、１対のテーパ部３３ｂの先端が係止ばね３０の係止部３０ａ，３０ｂの間に配置されるように操作ボタン３３の回転位相を制限するものである。係合穴部３４は、図４に示すように、装着空間７ｂの底部７ｄに形成されている。係合孔部３４は、スプール軸８と直交する断面が、テーパ部３３ｂの筒状部３３ｅの外径より僅かに大きな内径を有しテーパ部３３ｂと対向して配置される１対の円弧部３４ａと、位置決め突起３１により位置決めされた係止ばね３０の係止部３０ａ，３０ｂに沿って円弧部３４ａの両端をそれぞれ結び筒状部３３ｅの外径より小さい間隔で配置される１対の連結部３４ｂとを有する概ね長円形状に装着空間７ｂの底部７ｄに形成されている。円弧部３４ａの内径は具体的には、筒状部３３ｅの外径より１０１〜１１０％程度大きく、連結部３４ｂの間隔は筒状部３３ｅの外径より９９〜６０％程度小さい。この１対の円弧部３４ａの一方に近接して位置決め突起３１が形成されている。
【００３６】
３枚のワッシャ３５〜３７は、金属製の部材であり、ワッシャ３６，３７はスプール４の軸方向位置を調整するためのものである。ワッシャ３５は他のワッシャ３６，３７より大径で装着空間７ｂの前端面に装着される。ワッシャ３６，３７は装着空間７ｂ内に係止ばね３０を挟んで配置されている。装着空間７ｂに装着されるワッシャ３６，３７には、図３に示すように、位置決め突起３１との干渉を避けるために、位置決め突起３１が通過可能な切欠き部３６ａ，３７ａがそれぞれ形成されている。
【００３７】
ロータ駆動機構５は、図１に示すように、ハンドル１が固定されたハンドル軸１０とともに回転するマスターギア１１と、このマスターギア１１に噛み合うピニオンギア１２とを有している。ハンドル軸１０は、リール本体２に回転自在に支持されている。ピニオンギア１２は筒状に形成されており、ピニオンギア１２の前部はロータ３を貫通してスプール４側に延びている。
【００３８】
レバーブレーキ機構６は、制動部１６と、制動部１６の制動力を調整操作するための制動レバー１７と、制動部１６を所定制動状態に操作するための補助レバー１８と、制動レバー１７を取付部２ｃから離反する方向に付勢するコイルばね１９とを有している。
【００３９】
このような構成のスピニングリールでは、スプール４を外すときには、操作ボタン３３の押圧操作部３３ａをスプール軸８に向かって押圧する。これにより、テーパ部３３ｂが係止ばね３０の係止部３０ａ，３０ｂの間隔を拡げてスプール軸８の係止溝８ｂとの係合を解除し、スプール４を着脱可能な状態にする。この状態でスプール４を前方に引っ張り出すと、スプール軸８から外すことができる。また、１対の係止部３０ａ，３０ｂがテーパ部３３ｂによって拡げられると、１対の係止部３０ａ，３０ｂは互いに近づく方向にテーパ部３３ｂに力を作用させるので、押圧操作部３３ａは押圧方向と逆方向の前方（図２左方）に付勢される。このため、押圧操作を止めると、操作ボタン３３は前方に移動し、１対の係止部は係止可能状態に戻る。
【００４０】
スプール４をスプール軸８に装着する際には、スプール軸８のテーパ面８ａにより係止ばね３０の係止部３０ａ，３０ｂが拡げられ、係止ばね３０が係止溝８ｂに位置すると、弾性により係止溝８ｂ内に係止部３０ａ，３０ｂがはまり込んでスプール４をスプール軸８に対して抜け止めする。
【００４１】
このような構成のスピニングリールのスプール４を組み立てる際には、ワッシャ３７を装着空間７ｂの底部７ｄに装着し、続いて係止ばね３０を装着する。このとき、切欠き部３７ａ及び係止部３０ａ，３０ｂの間から位置決め突起３１突出するように配置する。これにより、係止ばね３０の回転位相が位置決めされる。そし、ワッシャ３６及び３５をこの順に装着していく。このときも、切欠き部３６ａから位置決め突起３１が突出するように配置する。そして、操作ボタン３３をテーパ部３３ｂ側から装着する。このとき、係止穴部３４の連結部３４ｂの間隔がテーパ部３３ｂが先端に形成された筒状部３３ｅの外径より小さいので、テーパ部３３ｂの配置が制限され、筒状部３３ｅと外径が同じテーパ部３３ｂを連結部３４ｂに向けて配置することができず、テーパ部３３ｂは円弧部３４ａに向けてしか配置できない。この円弧部３４ａの一方に近接して位置決め突起３１が形成されているため、テーパ部３３ｂを円弧部３４ａに対向して配置すると、係止ばね３０の係止部３０ａ，３０ｂ間にテーパ部３３ｂが挿入されることになる。この結果、係止ばね３０の回転位相が位置決めされるとともに、テーパ部３３ｂが係止部３０ａ，３０ｂ間に挿入されるように操作ボタン３３の回転位相も制限されるので、操作ボタン３３と係止ばね３０との組み間違いを容易に防止できる。
【００４２】
ここでは、位置決めされた係止ばね３０に対して、テーパ部３３ｂが係止部３０ａ，３０ｂの間に配置されるように係合穴部３４により操作ボタン３３の回転位相が制限される。このため、係止ばね３０と操作ボタン３３の回転位相がテーパ部３３ｂが係止部３０ａ，３０ｂ間に配置されるように制限され、操作ボタン３３と係止ばね３０の組み間違いを防止できる。
【００４３】
〔他の実施形態〕
（ａ）前記実施形態では、スプール本体７の装着空間７ｂの底部７ｄに第２位置決め手段としての係合穴部３４を形成したが、第２位置決め手段は、操作ボタン３３の回転位相を制限するものであればどのような形態でもよい。図５に示すように、ワッシャ１３７の中心孔に係合孔部１３４を形成して、操作ボタン３３の回転位相を制限してもよい。この場合にも係合孔部１３４は、スプール軸８と直交する断面が係合穴部３４と同様に円弧部１３４ａと連結部１３４ｂとを有している。なお、図５及び図６では、符号を付していない部材は図３と同じ部材である。
【００４４】
（ｂ）前記実施形態では、スプール本体７の装着空間７ｂの底部７ｄに第１位置決め手段としての位置決め突起３１を形成したが、第１位置決め手段は、係止ばね３０の回転位相を位置決めするものであればどのような形態でもよい。図６に示すように、ワッシャ２３７に位置決め突起２３１を形成して、係止ばね３０の回転位相を位置決めしてもよい。この位置決め突起２３１も、係止ばね３０の１対の係止部３０ａ，３０ｂの間に配置される。また、（ａ）で記載した第２位置決め手段としての係合孔部１３４もワッシャ２３７に形成されている。この場合には、１つのワッシャ２３７で係止ばね３０の回転位相の位置決めと、操作ボタン３３の回転位相の制限とをひとつの部材で実現できる。
【００４５】
（ｃ）前記実施形態では、レバーブレーキ型のスピニングリールのスプールを例にあげて釣り用リール部品を説明したが、本発明はこれに限定されるものではなく、軸部材にワンタッチで着脱可能な全ての釣り用リール部品に適用できる。たとえば、スピニングリールであれば、リアドラグ型のものなど、スプールがスプール軸に回転不能に装着される全てのスピニングリールに本発明を適用できる。また、両軸受リールであれば、図７及び図８に示すように、たとえばハンドル把手の着脱構造などにも本発明を適用できる。
【００４６】
図７及び図８において、本発明の他の実施形態を採用した両軸受リールは、シングルハンドルタイプの丸型リールであり、リール本体４１と、リール本体４１の側方に配置されたスプール回転用のハンドル組立体４２と、ハンドル組立体４２のリール本体４１側に配置されたスタードラグ４３とを備えている。
【００４７】
リール本体４１は、竿取付脚４４を介して釣竿Ｒに取り付けられている。リール本体４１には釣り糸を巻き取りあるいは繰り出すためのスプール４５が回転自在に装着されている。リール本体４１の後方には、図示しないクラッチ機構を操作するためのクラッチレバー４９が揺動自在に装着されている。
【００４８】
ハンドル組立体４２は、図７及び図８に示すように、ハンドル軸（図示せず）の先端に回転不能に装着されたハンドルアーム４６と、ハンドルアーム４６の一端にハンドルアーム４６に回転自在に装着されたハンドル把手４７と、ハンドル把手４７をハンドルアーム４６に回転自在に装着するための金属製の把手軸４８とを有している。
【００４９】
ハンドルアーム４６はハンドル軸の径方向に延びる平板状の金属製の部材である。ハンドルアーム４６は、ハンドル軸に回転不能に係止されており、固定ナット５０によりハンドル軸に着脱自在に固定されている。
【００５０】
把手軸４８は、図８に示すように、ハンドル軸と平行に配置され、ハンドルアーム４６の先端に基端部が固定されている。把手軸４８の先端部は略円錐形状のテーパ面８１と、テーパ面８１のハンドルアーム４６側端部外周に形成された環状の係止溝８２とを有している。
【００５１】
ハンドル把手４７は、把手本体５１と、ワンタッチ着脱機構５２とを有している。把手本体５１は、把手軸４８に装着され先端に開口部５６が設けられた筒状の支持部５７と、支持部５７の外周側に回転不能に固定された把手部５８とを有している。把手部５８の端面には装着空間５８ａが形成されている。
【００５２】
ワンタッチ着脱機構５２は、把手軸４８の係止溝８２に係止される係止ばね５９と、係止ばね５９の回転位相を位置決めする第１位置決め手段としての位置決め突起７１と、蓋部材７２と、操作ボタン７３と、第２位置決め手段としての係合孔部７４と、２枚のワッシャ７５，７６とを有している。
【００５３】
支持部５７は、たとえば金属製又は合成樹脂製の筒状部材であり、その内周側には把手軸４８が装着される孔部６１が形成されている。孔部６１は円筒状の貫通孔であり、両端部にはそれぞれ軸受６２及び軸受６３が装着されている。なお、支持部５７の基端側に配置された軸受６２は把手軸４８に固定され、支持部５７の先端側に配置された軸受６３は支持部５７に固定される。
【００５４】
把手部５８は、合成樹脂製の部材であり、支持部５７の外周側にハンドル把手４７の基端側の開口部５６に向かって徐々に縮径している。把手部５８は、把手部５８の先端と支持部５７の外周とが回り止めされており、支持部５７に回転不能に固定されている。
【００５５】
係止ばね５９は、線材を折り曲げて形成した部材であって、変形したときに付勢力が生じるようになっている。係止ばね５９は、把手軸４８を挟持するために対向して設けられた係止部５９ａ、５９ｂを有している。
【００５６】
位置決め突起７１及び係合孔部７４は、他の実施形態（ｂ）と同様にワッシャ７５に形成されている。また、ワッシャ７６には、切欠き部が形成されている。位置決め突起７１の高さは、係止ばね５９の直径よりやや大きく、係止ばね５９にワッシャ７６を重ねた状態の厚みより小さい。
【００５７】
蓋部材７２は、把手部５８にねじ止め固定されており、係止ばね５９及び操作ボタン７３を抜け止めする。操作ボタン７３は、操作ボタン３３と同様な構造であり、テーパ部７３ｂを有している。この抜け止め構造及び操作ボタン７３の構造は前記実施形態とどうようなため説明を省略する。
【００５８】
このようなハンドル組立体４２において、ハンドル把手４７を交換するときは、操作ボタン７３を押圧操作して行う。すると係止ばね５９が開いて把手軸４８との係合が解除されて取り外し可能になる。
【００５９】
ハンドル把手４７の組立の際には、ワッシャ７５を装着し、ワッシャ７５に形成された位置決め突起７１が突出するように係止ばね５９の係止部５９ａ，５９ｂを配置する。そして、ワッシャ７６を装着した後操作ボタン７３を装着する。このとき、係合孔部７４により、操作ボタン７３に形成されたテーパ部７３ｂが係止部５９ａ，５９ｂ内に確実に挿入される。このため、ハンドル組立体４２の組み間違いを防止できる。
【００６０】
【発明の効果】
本発明によれば、係止ばねが第１位置決め手段により回転位相が位置決めされ、その位置決めされた係止ばねに対して、操作部材を装着する際にその回転位相がテーパ部が係止部間に配されるように制限されるので、操作部材と係止ばねとが位置決めされた状態でしか装着空間に装着できない。このため、操作部材と係止ばねの組み間違いを防止できる。
【図面の簡単な説明】
【図１】
本発明の一実施形態によるスピニングリールの側面断面図。
【図２】
そのスプールの断面図。
【図３】
スプールの分解斜視図。
【図４】
係止ばねの取付状態を示す正面拡大図。
【図５】
他の実施形態の図３に相当する図。
【図６】
さらに他の実施形態の図３に相当する図。
【図７】
他の実施形態を採用した両軸受リールの斜視図。
【図８】
そのハンドル組立体の分解断面図。
【符号の説明】
４  スプール
７  スプール本体
８  スプール軸
８ａ  テーパ面
８ｂ  係止溝
１３，５２  ワンタッチ着脱機構
３０  係止ばね
３０ａ，３０ｂ  係止部
３０ｃ  連結部
３１，７１，２３１  位置決め突起
３２，７２  蓋部材
３３，７３  操作ボタン
３３ａ  押圧操作部
３３ｂ，７３ｂ  テーパ部
３３ｅ  筒状部
３４  係合穴部
３４ａ  円弧部
３４ｂ  連結部
３７，１３７，２３７  ワッシャ
４２  ハンドル組立体
４８  把手軸
５１  把手本体
７４，１３４  係合孔部
【手続補正２】
【補正対象書類名】図面
【補正対象項目名】図５
【補正方法】変更
【補正の内容】
【図５】
2004180586.tif 000001
【手続補正３】
【補正対象書類名】図面
【補正対象項目名】図６
【補正方法】変更
【補正の内容】
【図６】
2004180586.tif 000002
【手続補正４】
【補正対象書類名】図面
【補正対象項目名】図７
【補正方法】変更
【補正の内容】
【図７】
2004180586.tif 000003
【手続補正５】
【補正対象書類名】図面
【補正対象項目名】図８
【補正方法】変更
【補正の内容】
【図８】
2004180586.tif 000004